(57)【要約】【課題】所定の表示をさせながら、かつ受信の成功率を向上させることができ、ユーザの利便性を損なうことなく、快適に使用することが可能な電波修正時計を提供する。【解決手段】受信回数ｎを設定して、受信毎に、受信が成功であるか不成功であるかを判定し、受信が不成功の場合には、再度受信を行わせ、受信回数が増えるに応じて、複数の表示項目のうち、消灯させる表示項目が増加するように駆動信号の生成を抑止させるような表示制御信号を表示部１９に供給する制御回路２０を設ける。これにより、ノイズ発生源である表示部１９の表示動作を受信状況に合わせて段階的に変化させることができる。【選択図】      図１
2005214882.tif 000002
【特許請求の範囲】
【請求項１】
標準時刻信号を含む電波信号を受信して、内部時計の時刻修正を行う電波修正時計であって、
少なくとも上記内部時計の計時に伴う時刻表示を含む複数の表示項目を、表示制御信号に応じて生成する駆動信号に基づいて表示可能な表示手段と、
上記表示手段の近傍に配置され、上記電波信号を受信する受信手段と、
上記受信手段で上記電波信号の受信を行わないときは、上記複数の表示項目を表示させる駆動信号の生成を指示する上記表示制御信号を上記表示手段に出力し、上記受信手段で上記電波信号の受信を行うときは、上記複数の表示項目のうち少なくとも一部の表示項目を表示させる駆動信号の生成を抑止させて当該表示項目を消灯させる上記表示制御信号を上記表示手段に出力する制御手段と
を有する電波修正時計。
【請求項２】
上記制御手段は、上記受信手段で上記電波信号を受信する際には、当該電波信号に基づいて受信が成功であるか不成功であるかを判定し、受信が不成功の場合には、上記受信手段に再度受信を行わせ、受信回数が増えるに応じて、上記複数の表示項目のうち、消灯させる表示項目が増加するように駆動信号の生成を抑止させる上記表示制御信号を上記表示手段に出力する
請求項１記載の電波修正時計。
【請求項３】
上記制御手段は、あらかじめ設定した回数、上記受信手段で上記電波信号の受信を行わせても受信が不成功である判定した場合には、上記複数の全表示項目が消灯するように、駆動信号の生成を抑止させる上記表示制御信号を上記表示手段に出力する
請求項２記載の電波修正時計。
【請求項４】
上記制御手段は、上記受信手段で上記電波信号の受信を行うときは、上記複数の表示項目のうち、上記受信手段の配置位置に近い領域に表示される表示項目が消灯するように、駆動信号の生成を抑止させる上記表示制御信号を上記表示手段に出力する
請求項１記載の電波修正時計。
【請求項５】
上記制御手段は、上記受信手段で上記電波信号の受信を行うときは、上記複数の表示項目のうち、上記受信手段の配置位置に近い領域順に表示される表示項目が消灯するように、駆動信号の生成を抑止させる上記表示制御信号を上記表示手段に出力する
請求項２または３記載の電波修正時計。
【請求項６】
上記制御手段は、上記受信手段で、上記標準時刻信号のうちの、少なくとも上記内部時計の時刻修正処理に係る所定の信号が受信されるときは、駆動信号の生成を抑止させる上記表示制御信号を上記表示手段に出力する
請求項１から５のうちのいずれか一に記載の電波修正時計。
【請求項７】
所定の情報を入力可能な入力手段を有し、
上記制御手段は、上記受信手段で上記電波信号を受信中に、上記入力手段から上記所定の入力がされた場合には、上記複数の表示項目のうち、少なくとも上記内部時計の計時に伴う時刻表示を行うように駆動信号の生成を指示する上記表示制御信号を上記表示手段に出力する
請求項１から６のうちのいずれか一に記載の電波修正時計。
【請求項８】
時計機能に係るスイッチを少なくとも１つ有する入力手段を有し、
上記制御手段は、上記受信手段で上記電波信号を受信中に、上記入力手段から上記所定の入力がされた場合には、上記複数の表示項目のうち、少なくとも上記内部時計の計時に伴う時刻表示を行うように駆動信号の生成を指示する上記表示制御信号を上記表示手段に出力する
請求項１から６のうちのいずれか一に記載の電波修正時計。
【請求項９】
明状態および暗状態に応じた検出信号を出力する明暗検出手段を有し、
上記制御手段は、上記受信手段で上記電波信号を受信中に、上記明暗検出手段から上記明状態または暗状態に応じた信号が出力された場合には、上記複数の表示項目のうち、少なくとも上記内部時計の計時に伴う時刻表示を行うように駆動信号の生成を指示する上記表示制御信号を上記表示手段に出力する
請求項１から８のうちのいずれか一に記載の電波修正時計。
【請求項１０】
受信表示制御信号に、上記受信手段で上記電波信号を受信していることを示す表示指示が含まれている場合には、当該表示指示に応じた受信表示を行う受信表示部を有し、
上記制御手段は、上記受信手段で上記電波信号を受信している場合には、上記表示指示を含む受信表示制御信号を、上記受信表示部に出力する
請求項１から９のうちのいずれか一に記載の電波修正時計。
【請求項１１】
明状態および暗状態に応じた検出信号を出力する明暗検出手段を有し、
上記制御手段は、上記検出信号が暗状態を示し、上記受信手段で上記電波信号を受信するときは、上記複数の表示項目を表示させる全駆動信号の生成を抑止させて当該複数の表示項目を消灯させる上記表示制御信号を上記表示手段に出力する
請求項１から８、１０のうちのいずれか一に記載の電波修正時計。
【請求項１２】
設定された夜間の一定時間帯を検出する夜間時間帯設定手段を有し、
上記制御手段は、上記夜間時間帯設定手段に設定された時間帯において上記受信手段で上記電波信号を受信するときは、上記複数の表示項目を表示させる全駆動信号の生成を抑止させて当該複数の表示項目を消灯させる上記表示制御信号を上記表示手段に出力する
請求項１から８、１０のうちのいずれか一に記載の電波修正時計。
【請求項１３】
明状態および暗状態に応じた検出信号を出力する明暗検出手段を有し、
上記制御手段は、上記検出信号が暗状態を示し、上記夜間時間帯設定手段に設定された時間帯において上記受信手段で上記電波信号を受信するときは、上記複数の表示項目を表示させる全駆動信号の生成を抑止させて当該複数の表示項目を消灯させる上記表示制御信号を上記表示手段に出力する
請求項１２記載の電波修正時計。
【発明の詳細な説明】
【技術分野】
【０００１】
本発明は、たとえば、標準時刻信号を含む電波信号を受信して時刻修正を行う電波修正時計に関するものである。
【背景技術】
【０００２】
内部の計時部（以下、内部時計という）で計時される時刻に応じた表示を行う表示装置、たとえば液晶表示装置（ＬＣＤ（Liquid crystal display）パネルともいう）を有する時計が知られている。
上述の時計では、たとえば、内部時計で計時される時刻に応じた時刻データが、表示部の駆動回路に入力される。駆動回路では、入力された時刻データに応じた駆動信号をＬＣＤパネルに出力する。ＬＣＤパネルは、その駆動信号に応じた時刻表示を行う。
【０００３】
ところで、たとえば、ＬＣＤパネル等の表示装置を有し、標準時刻信号を含む標準電波信号を受信アンテナで受信し、標準時刻信号に基づいて内部時計で計時される時刻の修正を行う電波修正時計が知られている。
【０００４】
ＬＣＤパネル等の表示装置を用いた電波時計としては、時計周囲の明るさに応じて表示装置の表示内容を切り換えて表示するものがあった（たとえば、特許文献１参照）。また、他の液晶表示装置等を用いた電波時計としては、時計周囲の明るさに基づいて表示装置の輝度を調整するものがあった（たとえば、特許文献２参照）。
【特許文献１】特開２００２−１６８９７３号公報
【特許文献２】特開２００１−２９６３７７号公報
【発明の開示】
【発明が解決しようとする課題】
【０００５】
一般に、電波修正時計は、毎正時あるいは決められた時刻になると電波信号を受信し、受信した電波信号に含まれる時刻情報（標準時刻信号）に基づいて表示する時刻を修正し、常に正確な時刻を表示するように構成されている。
【０００６】
ところが、このような電波信号の受信感度にはノイズが大きく影響を与える。ノイズは時計の外側から侵入することもあるが、時計内に設けられた指針駆動モータ等もノイズを発生するため、アナログ時計においては電波信号受信時に指針駆動を停止させてノイズの発生を抑えるものがあった。
【０００７】
一方、液晶表示装置を用いた電波修正時計においては、モータが使用されていないこともあり、ノイズ対策が全く考えられていなかった。
しかし、液晶表示装置もノイズを発生することが認められ、液晶表示装置そのものだけでなく、液晶表示装置と回路基板とを接続する配線部分からも駆動信号がノイズとして出力され、受信感度を低下させていた。
このため、液晶表示装置を用いた電波修正時計においてもノイズ対策をとらなければならないという課題があった。
【０００８】
また、このような時計内で発生するノイズを一応考慮して、受信用のアンテナを液晶表示装置や回路から離して配置することを行っていたが、液晶表示装置等とアンテナとの距離の制約により、小型・薄型化を阻害し、デザインの自由度も低下させることになっていた。
【０００９】
上述のように、電波修正時計では、標準時刻信号を受信する際に、表示装置から出力される駆動信号がノイズとして受信に影響してしまう場合がある。これを解消するために、標準時刻信号を受信している際に、駆動信号を停止して表示部に時刻表示をさせないようにすることも考えられるが、単純に全表示項目を消灯させるだけでは、たとえば、ユーザは表示部の時刻表示を見ることができないという課題がある。
【００１０】
本発明の第１の目的は、表示装置からのノイズの影響を受けずに電波信号を受信することができる電波修正時計を提供することにある。
【００１１】
本発明の第２の目的は、電波信号を受信するために駆動信号を停止して表示装置の時刻表示を消灯している場合であっても、時刻表示可能な電波修正時計を提供することにある。
【課題を解決するための手段】
【００１２】
上記目的を達成するために、本発明の電波修正時計は、標準時刻信号を含む電波信号を受信して、内部時計の時刻修正を行う電波修正時計であって、少なくとも上記内部時計の計時に伴う時刻表示を含む複数の表示項目を、表示制御信号に応じて生成する駆動信号に基づいて表示可能な表示手段と、上記表示手段の近傍に配置され、上記電波信号を受信する受信手段と、上記受信手段で上記電波信号の受信を行わないときは、上記複数の表示項目を表示させる駆動信号の生成を指示する上記表示制御信号を上記表示手段に出力し、上記受信手段で上記電波信号の受信を行うときは、上記複数の表示項目のうち少なくとも一部の表示項目を表示させる駆動信号の生成を抑止させて当該表示項目を消灯させる上記表示制御信号を上記表示手段に出力する制御手段とを有する。
【００１３】
好適には、上記制御手段は、上記受信手段で上記電波信号を受信する際には、当該電波信号に基づいて受信が成功であるか不成功であるかを判定し、受信が不成功の場合には、上記受信手段に再度受信を行わせ、受信回数が増えるに応じて、上記複数の表示項目のうち、消灯させる表示項目が増加するように駆動信号の生成を抑止させる上記表示制御信号を上記表示手段に出力する。
【００１４】
好適には、上記制御手段は、あらかじめ設定した回数、上記受信手段で上記電波信号の受信を行わせても受信が不成功である判定した場合には、上記複数の全表示項目が消灯するように、駆動信号の生成を抑止させる上記表示制御信号を上記表示手段に出力する。
【００１５】
好適には、上記制御手段は、上記受信手段で上記電波信号の受信を行うときは、上記複数の表示項目のうち、上記受信手段の配置位置に近い領域に表示される表示項目が消灯するように、駆動信号の生成を抑止させる上記表示制御信号を上記表示手段に出力する。
【００１６】
好適には、上記制御手段は、上記受信手段で上記電波信号の受信を行うときは、上記複数の表示項目のうち、上記受信手段の配置位置に近い領域順に表示される表示項目が消灯するように、駆動信号の生成を抑止させる上記表示制御信号を上記表示手段に出力する。
【００１７】
好適には、上記制御手段は、上記受信手段で、上記標準時刻信号のうちの、少なくとも上記内部時計の時刻修正処理に係る所定の信号が受信されるときは、駆動信号の生成を抑止させる上記表示制御信号を上記表示手段に出力する。
【００１８】
好適には、所定の情報を入力可能な入力手段を有し、上記制御手段は、上記受信手段で上記電波信号を受信中に、上記入力手段から上記所定の入力がされた場合には、上記複数の表示項目のうち、少なくとも上記内部時計の計時に伴う時刻表示を行うように駆動信号の生成を指示する上記表示制御信号を上記表示手段に出力する。
【００１９】
好適には、時計機能に係るスイッチを少なくとも１つ有する入力手段を有し、上記制御手段は、上記受信手段で上記電波信号を受信中に、上記入力手段から上記所定の入力がされた場合には、上記複数の表示項目のうち、少なくとも上記内部時計の計時に伴う時刻表示を行うように駆動信号の生成を指示する上記表示制御信号を上記表示手段に出力する。
【００２０】
好適には、明状態および暗状態に応じた検出信号を出力する明暗検出手段を有し、上記制御手段は、上記受信手段で上記電波信号を受信中に、上記明暗検出手段から上記明状態または暗状態に応じた信号が出力された場合には、上記複数の表示項目のうち、少なくとも上記内部時計の計時に伴う時刻表示を行うように駆動信号の生成を指示する上記表示制御信号を上記表示手段に出力する。
【００２１】
好適には、受信表示制御信号に、上記受信手段で上記電波信号を受信していることを示す表示指示が含まれている場合には、当該表示指示に応じた受信表示を行う受信表示部を有し、上記制御手段は、上記受信手段で上記電波信号を受信している場合には、上記表示指示を含む受信表示制御信号を、上記受信表示部に出力する。
【００２２】
好適には、明状態および暗状態に応じた検出信号を出力する明暗検出手段を有し、上記制御手段は、上記検出信号が暗状態を示し、上記受信手段で上記電波信号を受信するときは、上記複数の表示項目を表示させる全駆動信号の生成を抑止させて当該複数の表示項目を消灯させる上記表示制御信号を上記表示手段に出力する。
【００２３】
好適には、設定された夜間の一定時間帯を検出する夜間時間帯設定手段を有し、上記制御手段は、上記夜間時間帯設定手段に設定された時間帯において上記受信手段で上記電波信号を受信するときは、上記複数の表示項目を表示させる全駆動信号の生成を抑止させて当該複数の表示項目を消灯させる上記表示制御信号を上記表示手段に出力する。
【００２４】
好適には、明状態および暗状態に応じた検出信号を出力する明暗検出手段を有し、上記制御手段は、上記検出信号が暗状態を示し、上記夜間時間帯設定手段に設定された時間帯において上記受信手段で上記電波信号を受信するときは、上記複数の表示項目を表示させる全駆動信号の生成を抑止させて当該複数の表示項目を消灯させる上記表示制御信号を上記表示手段に出力する。
【００２５】
本発明によれば、たとえば表示手段の近傍に配置された受信手段で電波信号の受信を行わないときは、制御手段において、複数の表示項目を表示させる駆動信号の生成を指示する表示制御信号が表示手段に出力される。
これにより、表示手段においては、少なくとも内部時計の計時に伴う時刻表示を含む複数の表示項目が、表示制御信号に応じた駆動信号に基づいて表示される。
一方、受信手段で電波信号の受信を行うときは、制御手段において、複数の表示項目のうち少なくとも一部の表示項目、たとえば受信手段に近い位置に表示される表示項目、あるいは全ての表示項目を表示させる駆動信号の生成を抑止させて当該表示項目を消灯させる表示制御信号が表示手段に出力される。
これにより、表示手段においては、一部の表示項目、たとえば受信手段に近い位置に表示される表示項目が消灯され、この表示項目を除いた表示項目が表示制御信号に応じた駆動信号に基づいて表示される。あるいは、全ての表示項目が消灯される。
【００２６】
また、本発明によれば、制御手段では、受信手段で、標準時刻信号の内の、内部時計の時刻修正処理に係る所定の信号が受信されるときは、少なくとも抑止指示を含む表示制御信号が表示手段に出力され、受信手段で電波信号を受信中に、入力手段から所定の入力がされた場合には、内部時計で計時される時刻に応じた表示指示を含む表示制御信号が表示手段に出力される。
【００２７】
このように、本発明の電波修正時計においては、制御手段により表示手段の作動・停止を制御し、受信手段により電波信号を受信するときに、表示手段を少なくとも一部の表示項目を表示させる駆動信号の生成を抑止させて、表示の制限を行っている。
また、たとえば明暗検出手段を設け、暗状態であることが検出されたときの受信時や、あらかじめ設定した夜間の時間帯における受信時に、表示手段の全表示項目の表示を停止させている。このように表示手段の表示項目の表示を停止させれば、その駆動信号等によるノイズの発生を防ぐことができ、受信感度を飛躍的に向上させることができる。また、表示手段を停止させても、そのときに周囲が暗状態であったり、真夜中であるため、時計の使用に支障をきたすことはほとんどない。
【発明の効果】
【００２８】
本発明によれば、表示手段およびその配線等から発生するノイズによる影響を受けることなく電波信号を受信することができるので、受信感度を飛躍的に向上させることができる。このため、受信の失敗が少なくなり、常に正確な時刻を表示することができ、また、ボタン操作等による強制受信操作を行う頻度も減少し、ユーザの利便性を高めることができる。
【００２９】
また、表示手段等とアンテナを含む受信手段との間の距離に制約を設ける必要がないので、アンテナの配置の自由度が高まり、容易に小型・薄型化を図ることができる。特に、アンテナの配置の自由度が高まったことにより、デザインの自由度も高まり、より斬新なデザインの時計を提供することができる。
また、所定の表示をさせながら、かつ受信の成功率を向上させることができ、ユーザの利便性を損なうことなく、快適に電波修正時計を使用することが可能となる。
【００３０】
また、本発明によれば、駆動信号により駆動する表示部を有する場合であっても、ノイズの影響が少なく標準時刻信号を受信することが可能となる利点がある。
【発明を実施するための最良の形態】
【００３１】
以下、本発明の実施の形態を添付図面に関連付けて説明する。
【００３２】
図１は、本発明に係る電波修正時計の信号処理系の一実施形態を示すブロック図である。
本実施形態に係る電波修正時計１は、標準電波送信局２から送信される標準時刻信号を含む標準電波信号を受信し、受信結果に基づいて内部で計時される時刻を修正する。
【００３３】
本実施の形態に係る電波修正時計１の信号処理系回路１０は、図１に示すように、受信手段としての標準電波信号受信系１１、発振回路１２、スイッチ群１３、スピーカ１４、マイクロフォン１５、明暗検出手段としての光センサ１６、変換部１７、検出部１８、表示手段としての表示部１９、制御回路としての制御回路２０、および受信表示部３０を有する。
【００３４】
標準電波信号受信系１１は、標準時刻信号を含む標準電波信号を受信し、受信された標準時刻信号に応じた信号を出力する。
【００３５】
標準電波信号受信系１１は、受信アンテナ１１１、および長波受信回路１１２を有する。
受信アンテナ１１１は、標準電波送信局２から送信された標準時刻信号を含む長波の標準電波を受信する。
長波受信回路１１２は、たとえば、制御回路２０からの指示に応じて、受信アンテナ１１１で受信された標準電波に対して所定の信号処理を行い、処理の結果を、たとえばパルス信号として制御回路２０に出力する。
長波受信回路１１２は、たとえば、不図示のＲＦアンプ、検波回路、整流回路、および積分回路により構成される。
【００３６】
図２は、図１に示した電波修正時計で受信される標準電波信号に含まれる時刻信号の一具体例を示す図である。
図２（ａ）は標準電波信号の一具体例を示す図、図２（ｂ）は受信状態が良い場合の出力波形の一具体例を示す図である。図２（ｃ）は電波が非常に弱い場合の出力波形の一具体例を示す図、図２（ｄ）はノイズが多い場合の出力波形の一具体例を示す図である。
【００３７】
たとえば、日本標準時を高精度で伝える長波の標準電波ＪＪＹは、図２（ａ）に示すような形態で送られてくる。
具体的には、ＪＪＹの標準時刻信号（タイムコードとも言う）は、「１」信号、「０」信号、「Ｐ」信号の３種類の信号パターンから構成され、それぞれの信号パターンは、１秒（ｓ）の中の１００％振幅期間幅によって区別されている。「１」信号を表す場合には、１秒（ｓ）の間に５００ｍｓ（０．５ｓ）だけ所定の周波数の所定の１００％振幅期間の信号が送信され、「０」信号を表す場合には、１秒の間に、８００ｍｓ（０．８ｓ）だけ所定の周波数の信号が送信され、「Ｐ」信号を表す場合には、１秒（ｓ）の間に２００ｍｓ（０．２ｓ）だけ所定の周波数が送信されてくる。
受信状態が良好であり、受信が成功した場合には、図２（ｂ）に示すように標準電波信号の波形に応じたパルス信号が制御回路２０に出力される。
この場合には、制御回路２０は受信した標準電波の受信状態が予め規定された正常な基準電範囲内にあるものとみなす。
【００３８】
一方、受信状態が基準範囲外にあるとみなす場合は、電波が弱い場合や、ノイズが多い場合である。
電波が非常に弱い場合には、図２（ｃ）に示すように、数個の信号分、パルス信号がローレベル（Ｌ）またはハイレベル（Ｈ）のままになる。
また、ノイズが多い場合には、図２（ｂ）に示すように、電波の波形と無関係にパルス信号のレベルが変化する。
これらの状態にあるパルス信号をたとえば１０秒間に２回か、あるいは、それ以上受信した場合には、制御回路２０は受信状態が基準範囲外にあり、受信成功ではないとみなす。
具体的には、たとえば、制御回路２０は、検出時間を１０秒程度として、この検出時間内において、パルス信号のレベルの変化が１秒間検出されなかった場合、および、検出したパルス幅が０．８ｓ，０．５ｓ，０．２ｓ付近でなかった場合をＮＧとして、ＮＧが２回以上発生した場合には、受信不可とみなす。
【００３９】
なお、日本の標準電波ＪＪＹは、独立行政法人通信総合研究所（ＣＲＬ）のもとで運用されている。また、変調波であるパルス信号ＰＬの振幅は最大１００％、最小１０％である。
【００４０】
次に、長波標準電波の送信データについて説明する。
図３（ａ），（ｂ）は、標準電波信号のタイムコードの一部である。
タイムコードは、図３（ａ），（ｂ）に示すように、１分１周期（１フレーム）としてこれを、６０分割し、１秒ごとに１ビットの情報を割り当てて送信している。
【００４１】
タイムコードが送信する情報は、時、分、１月１日からの通算日、年（西暦下２桁）、曜日に関しては、２進数（ＢＣＤ（Binary coded decimal notation ２進化１０進法）正論理）として表し送信する。
従って、時には２４時間制ＪＳＴの時を表すために６ビット、分には７ビット、通算日には１０ビット、年には８ビット、曜日には３ビットが必要となる。
【００４２】
なお、秒信号については、秒は電波のパルス信号の立ち上がりとし、パルスの立ち上がりの５５％（１０％値と１００％値の中央）が標準時の１秒信号に同期する。
【００４３】
Ｐ信号は１フレームに７回送信され、正分（０秒）に対応するものがマーカーＭと呼ばれ、９秒、１９秒、２９秒、３９秒、４９秒に対応するものが、それぞれポジションマーカーＰ１〜Ｐ５と呼ばれる。
なお、もう一つのポジションマーカーＰ０は、通常（非うるう秒時）は５９秒の立ち上がりに対応する。
【００４４】
このＰ信号が続けて現れるのは１フレーム中１回で、５９秒、０秒のとき、つまりポジションマーカーＰ０、マーカーＭと続くときだけ、この続けて現れる位置が正分位置となる。つまり分・時データ等の時刻データは、この正分位置を基準としてフレーム中の位置が決まっているため、この正分位置の検出を正確に行い、時刻データを取り出す。
【００４５】
ただし、標準電波のフレームのフォーマットは毎分同じではなく、図３（ａ）に示すように、毎時１５分および４５分時以外のフォーマットと、図３（ｂ）に示すように、それ毎時１５分および４５分の時刻のフォーマットは、異なっている。ＳＵ１、ＳＵ２と名付けられた予備ビットと、ＬＳ１、ＬＳ２と名付けられたうるう秒情報は、呼び出し符号と停波情報が、年情報と曜日情報の代わりに１５分、４５分のフォーマットにのみ現れる。
【００４６】
このように、タイムコードを含む標準電波を受信し、そこから得られるパルス信号をデコードすることにより、標準時刻を入手することができる。
制御回路２０は、得られた標準時刻に基づいて、計時される計時時刻を修正する。
【００４７】
発振回路１２は、たとえば、水晶発振器ＣＲＹ、およびキャパシタＣ１，Ｃ２により構成され、所定の周波数の基本クロックを生成し、制御回路２０に供給する。
【００４８】
スイッチ群１３は、たとえば、ユーザにより操作され、操作に応じた信号が制御回路２０に出力される。制御回路２０では、その信号に応じた所定の処理を行う。
スイッチ群１３は、たとえば、リセットスイッチ１３１、強制受信スイッチ１３２、鳴止めスイッチ１３３、スヌーズスイッチ１３４、設定スイッチ群１３５とを有する。
【００４９】
リセットスイッチ１３１は、制御回路２０の各種状態を初期状態に戻すときにオンされる。リセットスイッチ１３１が操作された場合、または、図示しない電池がセットされた場合に、制御回路２０は、各種状態を初期状態に戻し、標準電波信号受信系１１に標準電波信号を強制的に受信させ、受信信号に基づいて計時時刻を修正する。
【００５０】
強制受信スイッチ１３２は、強制的に標準電波信号を受信して、内部で計時される時刻の修正を行わせるときにオンされる。制御回路２０は、強制受信スイッチが操作された場合には、上述のように、標準電波信号受信系１１に標準電波信号を強制的に受信させ、受信信号に基づいて計時時刻を修正する。
【００５１】
鳴止めスイッチ１３３は、たとえば、アラーム時刻に報音されるアラーム音の出力を止めるときにオンされる。制御回路２０は、鳴止めスイッチ１３３が操作された場合には、たとえば、アラーム時刻にスピーカ１４から報音させるアラーム音の出力を停止する。
【００５２】
スヌーズスイッチ１３４は、たとえば、アラーム時刻に報音されるアラーム音の出力を一旦止め、所定の時間経過後に再び出力させたいときにオンされる。制御回路２０は、スヌーズスイッチ１３４が操作された場合には、たとえば、アラーム時刻にスピーカ１４から出力させるアラーム音の出力を一旦止め、所定の時間経過後に、再びスピーカ１４からアラーム音を出力させる。
【００５３】
設定スイッチ群１３５は、たとえば、アラーム時刻を設定する際に操作されるスイッチである。設定スイッチ群１３５は、複数の設定スイッチ１３５１〜１３５４を有する。制御回路２０は、設定スイッチ群１３５が操作された場合には、たとえば、その操作に応じたアラーム時刻を設定する。
【００５４】
スピーカ１４は、制御回路２０の制御により所定の音、たとえばアラーム音やメロディ等を出力する。
マイクロフォン１５は、音波を電気信号に変換し、制御回路２０に出力する。
光センサ１６は、たとえば、ＣｄＳ光センサであり、光を検出し、検出信号を制御回路２０に出力する。
【００５５】
光電変換部１７は、光エネルギを電気エネルギに変換する。光電変換部１７は、たとえば不図示の２次電源に、電気エネルギを出力し、２次電源の充電を行う。
検出部１８は、たとえば光電変換部１７から出力された電気エネルギの電圧に応じた検出信号を制御回路２０に出力する。
【００５６】
受信表示部３０は、制御回路２０から標準電波信号を受信中である旨を示す制御信号が出力されると、その制御信号に応じた表示を行う。
たとえば、受信表示部３０は、たとえばＬＥＤ（Light emitting diode）等の発光素子３１、抵抗Ｒ、およびトランジスタｔｒとを有する。
制御回路２０は、たとえば、標準電波信号を受信中である旨を示す制御信号として、所定の電圧よりも高い電圧がトランジスタｔｒに出力されると、トランジスタｔｒがオンし、発光素子３１が発光する。所定の電圧よりも低い電圧が供給されると、トランジスタｔｒがオフ状態に保持され、発光素子３１は発光しない。
【００５７】
図４（ａ）〜（ｄ）は、図１に示した電波修正時計の全体構成の一例を示す図である。
図４（ａ）は電波修正時計の上面図、図４（ｂ）は正面図、図４（ｃ）は底面図、図４（ｄ）は図４（ａ）に示した電波修正時計のＡ−Ａ’線の断面図である。
【００５８】
電波修正時計１の本体部１００は、図４（ｂ）に示すように、本体部１００の中央部に表示部１９のＬＣＤパネル１９１が設けられている。
ＬＣＤパネル１９１は、たとえば、図４（ｂ）に示すように、時分秒、曜日、目覚ましＡ，Ｂ、電波受信状態の複数の表示項目を表示する、時分秒表示部ＤＰＡ１、曜日表示部ＤＰＡ２、目覚ましＡ，Ｂ（複数のアラーム時刻）表示部ＤＰＡ３，ＤＰＡ４、および電波受信状態表示部ＤＰＡ５を有する。
【００５９】
図４（ｂ）の例では、時分秒表示部ＤＰＡ１がＬＣＤパネル１９１の表示領域の上半分以上の領域に割り当てられている。この時分秒表示部ＤＰＡ１の表示形態は、時分のデジタル表示を大きく表示可能で、秒のデジタル表示を分表示の図中右上横部分に行うように構成されている。また、時分秒表示部ＤＰＡ１の時表示の左上横部分に電波受信状態表示部ＤＰＡ５が配置されている。
そして、ＬＣＤパネル１９１の表示領域の下半分以下の領域に、目覚ましＡ，Ｂ（複数のアラーム時刻）表示部ＤＰＡ３，ＤＰＡ４が並列に配置されている。
【００６０】
ＬＣＤパネル１９１の後部には、たとえば図４（ｄ）に示すように、ＬＣＤパネル１９１に駆動信号を供給する駆動回路１９２が設けられている。
また、表示部１９のＬＣＤパネル１９１および駆動回路１９２の背面側でかつ本体内上部近傍には、標準電波信号を受信するための受信アンテナ１１１が設けられている。
【００６１】
これら時分秒表示部ＤＰＡ１および電波受信状態表示部ＤＰＡ５が受信アンテナ１１１に最も近接した表示領域となっている。したがって、電波信号を受信する際に、時分秒表示部ＤＰＡ１および電波受信状態表示部ＤＰＡ５を駆動信号により表示させると、駆動信号に基づくノイズにより受信感度が低下するおそれがある。ただし、電波受信状態表示部ＤＰＡ５は表示領域が小さく駆動電力が小さいために、受信感度に対する影響は時分秒表示部ＤＰＡ１に比べて小さい。
そこで、本実施形態においては、電波信号を受信する際には、制御回路２０の制御の下、表示部１９は、少なくとも時分秒表示部ＤＰＡ１における時分秒を表示させるための駆動信号の生成を抑止するように制御され、時分秒表示部ＤＰＡ１における時分秒を表示を消灯する。
なお、この場合、電波信号を受信中であることを示し、かつ、ノイズが最小限となるように電波受信状態表示部ＤＰＡ５の電波受信状態表示が点滅するように制御される。
【００６２】
なお、電波信号を受信する際には、時分秒、曜日、目覚ましＡ，Ｂ、電波受信状態の複数の表示項目のうち、表示する項目数が少ない方が受信感度に対するノイズの影響を小さくすることが可能である。
したがって、後で詳述するように、電波信号を受信する際には、時分秒、曜日、目覚ましＡ，Ｂ、電波受信状態の複数の表示項目のうち、全てを消灯するように制御する第１方式、あるいは受信回数ｎを設定して、受信毎に、受信が成功であるか不成功であるかを判定し、受信が不成功の場合には、再度受信を行わせ、受信回数が増えるに応じて、複数の表示項目のうち、消灯させる表示項目が増加するように駆動信号の生成を抑止させるような第２方式を採用することも可能である。
第２方式の場合、あらかじめ設定した回数ｎだけ電波信号の受信を行わせても受信が不成功である判定した場合には、複数の表示項目が全表示項目が消灯するように、駆動信号の生成を抑止させるように構成することも可能である。
これらの方式の詳細な動作については、後で説明する。
【００６３】
本体部１００の正面の左右周辺部には、設定スイッチ（アラーム時刻設定ボタンとも言う）１３５１〜１３５４が設けられている。
本体部１００の正面の右上部には、標準電波信号を受信中である旨を示す発光素子３１が設けられている。
本体部１００の上面には、図４（ａ）に示すように、光電変換部１７、たとえばソーラーパネルが設けられている。
【００６４】
図５（ａ）は図４（ａ）に示した電波修正時計の左側面図、図５（ｂ）は右側面図、図５（ｃ）は背面図である。
電波修正時計の背面中央部には、図５（ｃ）に示すように、リセットスイッチ１３１、および強制受信スイッチ１３２が設けられている。
また、たとえば、強制受信スイッチ１３２の左側にスピーカ１４、右側にマイクロフォン１５、下側に光センサ１６が設けられている。
【００６５】
図６は、図１に示した電波修正時計の表示部の一具体例のブロック図である。
表示部１９は、たとえば、制御回路２０からの表示制御信号に応じた所定の表示を行う。たとえば、表示部１９は、制御回路２０から、計時されている時刻に基づいた表示制御信号が入力されると、その表示制御信号に応じた時刻表示を行う。
【００６６】
表示部１９は、たとえば液晶表示装置や、ＬＥＤ表示装置、有機ＥＬディスプレイデバイス等の表示装置である。以下、表示部１９が液晶表示装置の場合を説明する。
【００６７】
表示部１９は、たとえば図６に示すように、ＬＣＤパネル１９１、駆動回路１９２を有する。
ＬＣＤパネル１９１は、いわゆる液晶パネルであり、駆動回路１９２から出力される駆動信号に応じて、所定の画像を表示する。
駆動回路１９２は、制御回路２０から出力された表示制御信号に基づいて、たとえば駆動信号をＬＣＤパネル１９１に出力する。
駆動回路１９２は、たとえば、コモン駆動回路１９２１、セグメント駆動回路１９２２、およびＬＣＤ制御回路１９２３を有する。
【００６８】
図７は、図４（ａ）〜（ｄ）に示した表示部のＬＣＤパネルの一具体例の一部を示す図である。
表示部１９のＬＣＤパネル１９１は、たとえば図７に示すように、セグメント電極ＳＥＧ、コモン電極ＣＯＭ、セグメント線ＬＳＥＧ、コモン線ＬＣＯＭを有する。
【００６９】
ＬＣＤパネル１９１は、たとえば図示しないが、偏光子、ガラス基板、透明電極（セグメント電極）、分子配向層、液晶、透明電極（コモン電極）、ガラス基板、および偏光子等が積層されて形成されている。
【００７０】
ＬＣＤパネル１９１は、不図示の基板の前面に設けられたセグメント電極ＳＥＧにはセグメント線ＬＳＥＧが接続され、基板の背面に設けられたコモン電極ＣＯＭにはコモン線ＬＣＯＭが接続されている。
【００７１】
セグメント電極ＳＥＧおよびコモン電極ＣＯＭに選択的に電圧をかけることにより、液晶の分子の向きを変化させて、たとえば０〜９の数字や、英語表記の曜日の一部を表示することができる。
【００７２】
コモン電極ＣＯＭは、コモン線ＬＣＯＭを介して、コモン駆動回路１９２１に接続されている。
セグメント電極ＳＥＧは、セグメント線ＬＳＥＧを介して、セグメント駆動回路１９２２に接続されている。
【００７３】
コモン駆動回路１９２１は、ＬＣＤ制御回路１９２３からの信号に基づいて、ＬＣＤパネル１９１のコモン電極ＣＯＭへ、所定の駆動信号を供給する。
セグメント駆動回路１９２２、ＬＣＤ制御回路１９２３からの信号に基づいて、ＬＣＤパネル１９１のセグメント電極ＳＥＧへ、所定の駆動信号を供給する。
【００７４】
ＬＣＤ制御回路１９２３は、たとえば、制御回路２０から出力された、内部で計時される時刻に応じた表示制御信号に基づいて、コモン駆動回路１９２１およびセグメント駆動回路１９２２に、駆動信号をＬＣＤパネル１９１に供給させる駆動制御信号を出力する。
【００７５】
図８は、図１に示した電波修正時計の表示部の駆動信号の一具体例を示す図である。
全セグメント点灯時
全セグメント点灯時には、コモン駆動回路１９２１は、コモン端子（ＣＯＭ１〜４）に、図８（ａ）に示すように、最大電圧が駆動電圧ＶDD、最小電圧が基準電圧ＶSSのパルス方形波の駆動信号を供給する。
セグメント駆動回路１９２２は、セグメント端子ＳＥＧに、図８（ｂ）に示すように、コモン端子ＣＯＭに供給されるパルス方形波と位相がπだけずれた、最大電圧が駆動電圧ＶDD、最小電圧が基準電圧ＶSSのパルス方形波を供給する。
【００７６】
全セグメント消灯時
全セグメント消灯時には、セグメント駆動回路１９２２は、セグメント端子ＳＥＧに、図８（ｃ）に示すように、最大電圧がＶDD1で、最小電圧がＶDD2のパルス方形波を供給する。
ＶDD2はＶSSより高く、ＶDD1はＶDD2より高く、ＶDDはＶDD1より高い。
液晶にかかる電圧は、コモン端子ＣＯＭとセグメント端子ＳＥＧ間の電圧である。
たとえばＶSS−ＶDD2、および、ＶDD−ＶDD1は、液晶のしきい値電圧よりも低い。このとき、ＬＣＤパネル１９１には所定の画面表示が行われない。
【００７７】
１／３バイアス−１／３デューティ駆動方式
ＬＣＤパネル１９１において通常時における駆動方法として、各種駆動方法があるが、ここではたとえば、１／３バイアス−１／３デューティ駆動方式を説明する。
【００７８】
この駆動方式では、コモン駆動回路１９２１は、たとえばコモン端子（ＣＯＭ１〜３）に、図８（ｄ），（ｅ），（ｆ）に示すように、電圧がＶSS、ＶSS2、ＶSDD1、ＶDD2、ＶDD1、ＶDDと、６単位時間で周期的に変化する駆動信号を供給する。
【００７９】
コモン端子ＣＯＭ１，２，３それぞれに供給される駆動信号は、たとえば、２単位時間だけ位相がずれている。
コモン駆動回路１９２１は、たとえば、表示させない個所のコモン端子ＣＯＭ４には、図８（ｇ）に示すような、最高電圧がＶDD1、最低電圧がＶDD2のパルス方形波の駆動信号を供給する。
【００８０】
セグメント駆動回路１９２２は、コモン端子ＣＯＭ１，２，３に対応するセグメントＬＣＤの表示を消灯する場合には、コモン端子１，２，３それぞれに対応するセグメント端子ＳＥＧに、たとえば図８（ｈ）に示すような、最高電圧がＶDD1、最低電圧がＶDD2であるパルス方形波を供給する。
【００８１】
セグメント駆動回路１９２２は、たとえば、コモン端子ＣＯＭ１に対応するセグメントＬＣＤを点灯する場合には、たとえば図８（ｉ）に示すような駆動信号を供給する。
【００８２】
セグメント駆動回路１９２２は、たとえば、コモン端子ＣＯＭ２に対応するセグメントＬＣＤを点灯する場合には、たとえば図８（ｊ）に示すような駆動信号を供給する。
【００８３】
制御回路２０は、たとえば、時カウンタ、分カウンタ、秒カウンタ等を含む内部時計２０１を有する。
制御回路２０は、たとえば、所定の標準電波受信時刻、強制受信スイッチ等が操作された場合には、標準電波信号受信系１１に駆動電力を供給し、標準電波信号を受信させ、パルス信号Ｓ１１を出力させ、標準電波信号の受信状態をあらかじめ決められた基準範囲と比較し、受信状態が基準範囲内にある場合には、受信した標準電波信号の標準時刻信号に基づいて、内部時計２０１で計時されている時刻を修正する。
また、制御回路２０は、たとえば時刻信号コードのデコードの結果、時刻化が不可能である場合には、内部時計２０１の時刻修正を行わない。
【００８４】
制御回路２０は、内部時計２０１で計時されている時刻に応じた表示を行わせる表示制御信号を、表示部１９に出力する。
【００８５】
標準電波受信時の表示
図９は、図１に示した電波修正時計で受信される電波信号と、表示部の表示タイミングの一具体例を示す図である。図９（ａ）は電波受信信号を示す図である。図９（ｂ）は表示制御信号を示す図である。
【００８６】
上述したように、標準時刻電波信号は、たとえば１秒間に、０．２、０．５、０．８秒の１００％振幅期間と、１０％振幅期間のその他の期間とで構成される。
【００８７】
制御回路２０は、たとえば、上述したように図３に示した標準電波信号が受信される場合には、標準電波信号を受信する処理として、
・秒同期処理（１秒同期のタイミングを特定する）、
・分同期処理（０秒タイミングを特定する）、
・タイムコードの読み込み処理、
とを行う。
【００８８】
各処理において、時刻修正処理に係る情報として重要なタイミングが異なる。以下、具体的に説明する。
秒同期処理としては、上述したように、秒は電波信号のパルス信号の立ち上がりの５５％（１０％値と１００％値の中央）を基準として、秒同期を行う。このため、秒同期時には、電波信号の秒の前半、具体的には０．０〜０．５秒が重要である。
【００８９】
分同期処理としては、上述したように、正分位置は、ポジションマーカーＰ０、マーカーＭと続く位置を検出し、その位置を正分位置とする。このため分同期時には、電波信号の秒の前半、具体的には、０．０〜０．２秒が重要である。
【００９０】
タイムコードの読み込み処理では、「１」信号、「０」信号、「Ｐ」信号に基づいて、タイムコードをデコードする。このため、タイムコードの読み込み時は、秒の中間、たとえば０．２〜０．８秒が重要である。
【００９１】
また、タイムコードが、図３に示すようなフォーマットで送信されている場合には、たとえば、時刻・カレンダ”０”で示した位置（時間）では、時刻に関する情報ではないので重要ではない。
【００９２】
標準電波信号受信系１１から、たとえば図９（ａ）に示すように、ロウレベルの期間が振幅１００％の期間を示し、ハイレベルの期間が振幅１０％の期間を示すようなパルス信号Ｓ１１が出力される。
標準電波を受信している時の表示部１９の表示タイミングについて、たとえば、図９（ａ）に示すようなパルス信号が、標準電波信号受信系１１から出力されている場合を説明する。
【００９３】
たとえば、制御回路２０は、標準電波信号が受信されている場合には、表示部２０を消灯させる。
たとえば、具体的には、制御回路２０は、図９（ａ），（ｂ）に示すように、標準電波信号が受信されていない場合には、表示部１９に表示指示を含む表示制御信号を出力する。表示部１９の駆動回路１９２は、この表示指示を含む表示制御信号が入力されると、ＬＣＤパネル１９１に供給する駆動信号を生成し、所定の表示をＬＣＤパネル１９１に表示させる。
【００９４】
一方、制御回路２０は、標準電波信号が受信されている場合には、表示部１９に抑止指示を含む表示制御信号を出力する。表示部１９の駆動回路１９２に駆動信号の生成を抑止させる。表示部１９の駆動回路１９２は、この抑止指示を含む表示制御信号が入力されると、ＬＣＤパネル１９１に供給する駆動信号の生成を抑止する。
表示制御信号は、たとえば、図９（ｂ）に示すように、ハイレベルの場合には表示指示、ロウレベルの場合には抑止指示を示す。
【００９５】
このように、標準電波信号を受信中に、駆動信号を生成しないことで、駆動信号を要因としたノイズの影響がなくなり、良好な電波受信環境で、標準電波信号を受信することができる。
【００９６】
制御回路２０は、また、標準電波信号を受信中、ＬＣＤパネル１９１が表示されていない場合に、スイッチ群１３が操作された場合や、光センサ１６が暗状態から明状態、または、明状態から暗状態に状態の変化を検出した場合などに、表示部１９に表示指示を含む表示制御信号を出力して、駆動回路１９２に、駆動信号を出力させてＬＣＤパネル１９１を表示させる。
ＬＣＤパネル１９１に表示させる表示項目は、時分秒、曜日、目覚ましＡ，Ｂ、電波受信状態の複数の表示項目のうちの全てである。
なお、ＬＣＤパネル１９１に表示させる表示項目として、少なくとも時分秒を表示してユーザが現時刻を即座に確認できるように表示駆動するように構成することも可能である。
【００９７】
図１０は、図１に示した電波修正時計の表示動作を説明するための図である。電波修正時計１の制御回路２０および表示部１９の動作例を、図１０を参照しながら説明する。
【００９８】
制御回路２０は、通常表示の場合には、駆動信号を出力させる表示指示を含む表示制御信号を表示部１９の駆動回路１９２に出力する。この場合、たとえば、制御回路２０は、内部時計２０１で計時される時刻に応じた表示を行わせる表示制御信号を出力してもよい。
【００９９】
表示部１９の駆動回路１９２では、この表示制御信号に応じて駆動信号をＬＣＤパネル１９１に出力し、ＬＣＤパネル１９１に所定の表示を行わせる。たとえば、内部時計２０１で計時される時刻に応じた表示を行わせる表示制御信号が入力された場合には、それに応じた駆動信号をＬＣＤパネルに出力し、ＬＣＤパネル１９１に時刻表示を行わせる（ＳＴ１、ＳＴ２）。
この場合、たとえば図４（ｂ）に示すように、時分秒表示部ＤＰＡ１、曜日表示部ＤＰＡ２、目覚ましＡ，Ｂ（複数のアラーム時刻）表示部ＤＰＡ３，ＤＰＡ４、および電波受信状態表示部ＤＰＡ５に時分秒、曜日、目覚ましＡ，Ｂ、電波受信状態の全ての表示項目の表示を行わせる。
【０１００】
一方、制御回路２０は、たとえば、標準電波信号受信系１１に標準電波を受信させているときや、標準電波信号の内の重要な情報を受信しているときには、駆動信号の生成を抑止させる抑止指示を含む表示制御信号を表示部１９に出力する。
表示部１９の駆動回路１９２では、この表示制御信号が入力されると、駆動信号の生成を抑止する。
この場合、たとえば上述した第１方式に従って、時分秒表示部ＤＰＡ１、曜日表示部ＤＰＡ２、目覚ましＡ，Ｂ（複数のアラーム時刻）表示部ＤＰＡ３，ＤＰＡ４、および電波受信状態表示部ＤＰＡ５に時分秒、曜日、目覚ましＡ，Ｂ、電波受信状態の全ての表示項目の表示が抑止され消灯される。
こうすることにより、標準電波信号受信系１１に駆動信号が要因となるノイズが入力されなくなる（ＳＴ１，ＳＴ３）。
【０１０１】
図１１は、図１に示した電波修正時計の動作の一具体例を示すタイミングチャートである。
電波修正時計１の動作を、図１０を参照しながら、制御回路２０の動作を中心に説明する。
【０１０２】
通常時には、制御回路２０では、内部時計２０１で計時される時刻に応じた表示を行わせる表示制御信号が表示部１９に出力されている。表示部１９の駆動回路１９２では、その表示制御信号に応じた駆動信号が生成され、ＬＣＤパネル１９１に出力される。ＬＣＤパネル１９１では、その駆動信号に応じた時刻表示が行われる（ＳＴ１１，ＳＴ１２）。
【０１０３】
また、制御回路２０では、たとえば、リセットスイッチ１３１や、強制受信スイッチ１３２が操作された場合や、あらかじめ設定された標準電波信号を受信する時刻、たとえば、受信環境が比較的良い時間、午前２時〜午前５時頃などになると、たとえば標準電波信号受信系１１に駆動電力を供給して、標準電波信号を受信させる（ＳＴ１１，ＳＴ１３）。
制御回路２０は、標準電波信号の受信処理として、たとえば、秒同期処理、分同期処理、タイムコード読み取り処理等を行う。
また、制御回路２０では、標準電波信号受信系１１で標準電波信号を受信しているときに、受信中である旨を示す制御信号が受信表示部３０に出力される。受信表示部３０では、制御回路２０から出力された、その制御信号に応じて発光素子３１を発光し、受信中である旨を表示する。
【０１０４】
ステップＳＴ１４において、制御回路２０では、たとえば標準電波信号受信系１１で標準電波信号が受信されている場合には、表示部１９に抑止指示を含む表示制御信号を出力する。表示部１９の駆動回路１９２は、この抑止指示を含む表示制御信号が入力されると、ＬＣＤパネル１９１に供給する駆動信号の生成を抑止する。
この場合、たとえば上述した第１方式に従って、時分秒表示部ＤＰＡ１、曜日表示部ＤＰＡ２、目覚ましＡ，Ｂ（複数のアラーム時刻）表示部ＤＰＡ３，ＤＰＡ４、および電波受信状態表示部ＤＰＡ５に時分秒、曜日、目覚ましＡ，Ｂ、電波受信状態の全ての表示項目の表示が抑止され消灯される。
こうすることにより、標準電波信号受信系１１に駆動信号が要因となるノイズが入力されなくなる。
【０１０５】
ステップＳＴ１５において、制御回路２０では、割込みがあったか否かが判別される。
具体的には、制御回路２０では、たとえば、鳴止スイッチ１３３、スヌーズスイッチ１３４、設定スイッチ群１３５等のスイッチ群１３が操作された場合が割込みがあったと判別する。
【０１０６】
また、制御回路２０は、光センサ１６が暗状態から明状態に変化した場合、または明状態から暗状態に変化した状態を検出した場合も、割込みがあったと判別してもよい。
【０１０７】
また、制御回路２０は、検出部１８が光電変換部１７から出力される電圧を監視し、たとえば、周囲が暗い状態から明るい状態になった場合などに光電変換部１７から出力される電圧が高くなった場合も、割込みがあったと判別してもよい。また、赤外線センサを設け、その赤外線センサが所定の温度物体、たとえば人間等から放出される赤外線を検出した場合も割込みがあったと判別してもよい。
【０１０８】
また、制御回路２０は、マイクロフォン１５により、所定のレベル以上の音波を検出した場合も、割込みがあったと判別してもよい。
【０１０９】
ステップＳＴ１５の判別において、制御回路２０では、割込みがあったと判別された場合には、表示部１９に通常の表示を行わせる表示指示を含む表示制御信号が出力される。表示部１９では、受信中表示モードから通常表示モードに切り替わり、駆動回路１９２から駆動信号がＬＣＤパネル１９１に出力される。ＬＣＤパネル１９１では、駆動信号に応じた表示が行われ（ＳＴ１６）、ステップＳＴ１７の処理に進む。
【０１１０】
一方、ステップＳＴ１５の判別において、制御回路２０では、受信終了か否かが判別され、受信終了ではない判別された場合には、ステップＳＴ１３の処理に戻り、受信終了であると判別された場合には、ステップＳＴ１１の処理に戻る。
【０１１１】
以上の説明では第１方式に従って電波信号の受信中は、表示部１９のＬＣＤパネル１９１のおける全ての表示項目用の駆動信号の生成を抑止して全表示項目を消灯させる場合を例に説明した。
以下に、受信回数ｎ（たとえば３）を設定して、受信毎に、受信が成功であるか不成功であるかを判定し、受信が不成功の場合には、再度受信を行わせ、受信回数が増えるに応じて、複数の表示項目のうち、消灯させる表示項目が増加するように駆動信号の生成を抑止させるような第２方式を採用した場合の受信中の動作について図１２〜図１５に関連付けて説明する。
【０１１２】
図１２は、受信回数ｎを設定して、受信毎に、受信が成功であるか不成功であるかを判定して、不成功の場合に消灯させる表示項目を徐々に増やす表示制御動作について説明するためのフローチャートである。なお、ここでは、受信回数ｎを３に設定した場合の制御回路２０の動作を中心に説明する。
図１３〜図１６は、表示部１９のＬＣＤパネル１９１Ａにおける表示形態例を示す図である。図１３は全ての表示項目を表示している状態を示し、図１４は一つの表示項目を消灯させた場合を示し、図１５は二つの表示項目を消灯させた場合を示し、図１６は全ての表示項目を消灯させた場合を示している。
【０１１３】
なお、図１３〜図１６の表示形態は、図４（ｂ）の例とは異なる。ただし、受信アンテナの配置位置は、図４（ｄ）の場合と同様である。
このＬＣＤパネル１９１Ａは、たとえば、図１３に示すように、時分、秒、月日、曜日、目覚まし時刻、および電波受信状態の複数の表示項目を表示する、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６を有する。
【０１１４】
図１３〜図１６の例では、時分表示部ＤＰＡ１１がＬＣＤパネル１９１Ａの表示領域の上半分以上の領域に割り当てられている。この時分表示部ＤＰＡ１１の表示形態は、時分のデジタル表示を大きく表示可能で、秒表示部ＤＰＡ１２を分表示の図中右下横部分に配置している。
そして、ＬＣＤパネル１９１Ａの表示領域の下半分以下の領域に、電波受信状態表示部ＤＰＡ１６、月日表示部ＤＰＡ１３、曜日表示部ＤＰＡ１４、目覚まし（アラーム時刻）表示部ＤＰＡ１５が並列に配置されている。
【０１１５】
まず、電波信号を受信していない通常時には、表示部１９のＬＣＤパネル１９１Ａにおいては、図１３に示すように、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６に、時分、秒、月日、曜日、目覚まし時刻、および電波受信状態の全ての表示項目が表示されている。
【０１１６】
ここで、たとえばあらかじめ設定した電波信号の受信時間帯となると、制御回路２０は、標準電波信号受信系１１に駆動電力を供給して、標準電波信号の受信を開始させる（ＳＴ２１）。
制御回路２０は、標準電波信号受信系１１よるパルス信号Ｓ１１を受けて、標準電波信号の受信状態をあらかじめ決められた基準範囲と比較し、受信状態が基準範囲内にあるか否か、すなわち、受信が成功であるか不成功であるかを判定する（ＳＴ２２）。
ステップＳＴ２２において、受信が成功であると判定した場合には、受信した標準電波信号の標準時刻信号に基づいて、内部時計２０１で計時されている時刻を修正し（ＳＴ２３）、受信動作を終了する。
【０１１７】
一方、ステップＳＴ２２において、受信が不成功であると判定した場合には、受信回数ｎが１であるかを判定する。この場合、１回目であることから、ステップＳＴ２５の処理に移行し、制御回路２０は、表示部１９に、受信アンテナ１１１の配置位置に最も近い、時分表示部ＤＰＡ１１によるデジタル時分表示の抑止指示を含む表示制御信号を出力する。表示部１９の駆動回路１９２は、この抑止指示を含む表示制御信号が入力されると、ＬＣＤパネル１９１の時分表示部ＤＰＡ１１に供給する駆動信号の生成を抑止する。
この場合、図１４に示すように、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６に、時分、秒、月日、曜日、目覚まし時刻、および電波受信状態の全ての表示項目のうち、時分表示部ＤＰＡ１１による時分表示のみ消灯される（ＳＴ２５）。
こうすることにより、標準電波信号受信系１１に駆動信号が要因となる受信感度に影響するノイズが小さくなる。
そして、ステップＳＴ２１の受信動作に移行する。
【０１１８】
制御回路２０は、第１回目と同様に、標準電波信号受信系１１よるパルス信号Ｓ１１を受けて、標準電波信号の受信状態をあらかじめ決められた基準範囲と比較し、受信状態が基準範囲内にあるか否か、すなわち、受信が成功であるか不成功であるかを判定する（ＳＴ２２）。
ステップＳＴ２２において、受信が成功であると判定した場合には、受信した標準電波信号の標準時刻信号に基づいて、内部時計２０１で計時されている時刻を修正し（ＳＴ２３）、受信動作を終了する。
【０１１９】
一方、ステップＳＴ２２において、受信が不成功であると判定した場合には、受信回数ｎが１であるかを判定する。この場合、２回目であることから、ステップＳＴ２６の処理に移行し、制御回路２０は、表示部１９に、受信アンテナ１１１の配置位置に最も近い、時分表示部ＤＰＡ１１によるデジタル時分表示の抑止指示を含み、かつ、受信アンテナ１１１の配置位置に次に近い秒表示部ＤＰＡ１２によるデジタル秒表示の抑止指示を含む表示制御信号を出力する。表示部１９の駆動回路１９２は、この抑止指示を含む表示制御信号が入力されると、ＬＣＤパネル１９１の時分表示部ＤＰＡ１１に供給する駆動信号の生成を抑止したままで、秒表示部ＤＰＡ１２に供給する駆動信号の生成を抑止する。
この場合、図１５に示すように、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６に、時分、秒、月日、曜日、目覚まし時刻、および電波受信状態の全ての表示項目のうち、時分表示部ＤＰＡ１１および秒表示部ＤＰＡ１２による時分表示および秒表示の２つの表示項目が消灯される（ＳＴ２７）。
こうすることにより、標準電波信号受信系１１に駆動信号が要因となる受信感度に影響するノイズがさらに小さくなる。
そして、ステップＳＴ２１の受信動作に移行する。
【０１２０】
制御回路２０は、第２回目と同様に、標準電波信号受信系１１よるパルス信号Ｓ１１を受けて、標準電波信号の受信状態をあらかじめ決められた基準範囲と比較し、受信状態が基準範囲内にあるか否か、すなわち、受信が成功であるか不成功であるかを判定する（ＳＴ２２）。
ステップＳＴ２２において、受信が成功であると判定した場合には、受信した標準電波信号の標準時刻信号に基づいて、内部時計２０１で計時されている時刻を修正し（ＳＴ２３）、受信動作を終了する。
【０１２１】
一方、ステップＳＴ２２において、受信が不成功であると判定した場合には、受信回数ｎが１であるかを判定する。この場合、２回目であることから、ステップＳＴ２６の処理に移行する。そして、この場合、制御回路２０は、２回目ではないことから３回目の受信であると判定する。
この場合、制御回路２０は、表示部１９に、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６に、時分、秒、月日、曜日、目覚まし時刻、および電波受信状態の全ての表示項目のデジタル表示の抑止指示を含む表示制御信号を出力する。表示部１９の駆動回路１９２は、この抑止指示を含む表示制御信号が入力されると、ＬＣＤパネル１９１の時分表示部ＤＰＡ１１および秒表示部ＤＰＡ１２に供給する駆動信号の生成を抑止したままで、月日表示部ＤＰＡ１３、曜日表示部ＤＰＡ１４、目覚まし（アラーム時刻）表示部ＤＰＡ１５、および電波受信状態表示部ＤＰＡ１６に供給する駆動信号の生成を抑止する。
この場合、図１６に示すように、時分表示部ＤＰＡ１１、秒表示部ＤＰＡ１２、月日表示部ＤＰＡ１３、曜日表示部ＤＰＡ１４、目覚まし（アラーム時刻）表示部ＤＰＡ１５、および電波受信状態表示部ＤＰＡ１６に、時分、秒、月日、曜日、目覚まし時刻、および電波受信状態の全ての表示項目が消灯される（ＳＴ２８）。なお、この場合、ユーザに受信中であることを報知するために、電波受信状態表示部ＤＰＡ１６に電波受信状態を点滅させて表示するように制御することも可能である。
こうすることにより、標準電波信号受信系１１に駆動信号が要因となる受信感度に影響するノイズがさらに小さくなる。
そして、ステップＳＴ２９の受信動作に移行する。
【０１２２】
制御回路２０は、標準電波信号受信系１１よるパルス信号Ｓ１１を受けて、標準電波信号の受信状態をあらかじめ決められた基準範囲と比較し、受信状態が基準範囲内にあるか否か、すなわち、受信が成功であるか不成功であるかを判定する（ＳＴ３０）。
ステップＳＴ３０において、受信が成功であると判定した場合には、受信した標準電波信号の標準時刻信号に基づいて、内部時計２０１で計時されている時刻を修正し（ＳＴ３１）、受信動作を終了する。
【０１２３】
一方、ステップＳＴ２２において、受信が不成功であると判定した場合には、制御回路２０は、時刻化が不可能であると判定して、内部時計を修正を行わず、受信動作を停止する（ＳＴ３２）。
【０１２４】
以上のように、本実施形態によれば、電波信号の受信を行うときは、表示部１９のＬＣＤパネルに表示可能な複数の表示項目のうち、少なくとも受信アンテナ１１１の配置位置に近い領域に表示される表示項目が消灯するように、駆動信号の生成を抑止させる表示制御信号を表示部１９に出力する制御回路２０を有することから、表示部１９およびその配線等から発生するノイズによる影響を受けることなく電波信号を受信することができるので、受信感度を飛躍的に向上させることができる。
このため、受信の失敗が少なくなり、常に正確な時刻を表示することができ、また、ボタン操作等による強制受信操作を行う頻度も減少し、ユーザの利便性を高めることができる。
また、表示部１９と受信アンテナ１１１との間の距離に制約を設ける必要がないので、アンテナの配置の自由度が高まり、容易に小型・薄型化を図ることができる。特に、アンテナの配置の自由度が高まったことにより、デザインの自由度も高まり、より斬新なデザインの時計を実現することが可能となる。
【０１２５】
また、本実施形態において、制御回路２０は、受信回数ｎを設定して、受信毎に、受信が成功であるか不成功であるかを判定し、受信が不成功の場合には、再度受信を行わせ、受信回数が増えるに応じて、複数の表示項目のうち、消灯させる表示項目が増加するように駆動信号の生成を抑止させるような表示制御信号を表示部１９に供給することから、ノイズ発生源である表示部１９の表示動作を受信状況に合わせて段階的に変化させることができる。
したがって、所定の表示をさせながら、かつ受信の成功率を向上させることができ、ユーザの利便性を損なうことなく、快適に電波修正時計を使用することが可能となる。
【０１２６】
また、本実施形態によれば、表示制御信号が表示指示を含むときは駆動信号を生成して駆動信号に応じた表示を行い、表示制御信号が駆動信号の生成を抑止させる抑止指示を含むときは駆動信号の生成を抑止する表示部１９と、ノイズの発生源となる表示部１９の近傍に配置され、標準電波信号を受信し、標準電波信号に含まれる標準時刻信号を出力する標準電波信号受信系１１と、所定の入力に応じた信号を出力するスイッチ群１３と、マイクロフォン１５と、光センサ１６と、光電変換部１７、および検出部１８と、標準電波信号受信系１１で、標準時刻信号の内の、内部時計２０１の時刻修正処理に係る所定の信号が受信されるときは、少なくとも抑止指示を含む表示制御信号を表示部１９手段に出力し、標準電波信号受信系１１で標準電波信号を受信中に、スイッチ群１３、マイクロフォン１５、光センサ１６、検出部１８から所定の信号が出力された場合には、内部時計２０１で計時される時刻に応じた表示指示を含む表示制御信号を表示部１９に出力する制御回路２０とを設けたので、標準電波信号を受信中にノイズの影響を少なくするために、駆動信号を停止して表示部１９の時刻表示を消灯している場合であっても、時刻表示を行うことができる。
【０１２７】
具体的には、標準電波信号を受信している際に、たとえば、駆動信号を抑止して表示部１９に時刻表示をさせない場合にも、所定の割込み、たとえば、ユーザによりスイッチ群１３が操作されると表示部１９に時刻表示を行わせることができる。
【０１２８】
また、たとえば、本実施の形態に係る電波修正時計を部屋内に設置し、たとえば就寝等で部屋を暗状態にした状態で、標準電波を受信している際に、部屋に蛍光灯を点灯させるなど、明状態にした場合に、光センサ１６が暗状態から明状態への変化を検出した場合にも、制御回路２０は割込みと判別するので、表示部１９に時刻表示を行わせることができる。
【０１２９】
また、上述のように部屋が暗状態から明状態への変化に応じて、光電変換部１７が生成する電圧が変化し、その電圧の変化が検出部１８により検出された場合も、制御回路２０は割り込みと判別するので、表示部１９に時刻表示を行わせることができる。
【０１３０】
標準電波信号を受信している際に、たとえば駆動信号を抑止して表示部１９に時刻表示をさせない場合にも、たとえば、ユーザが手を叩いたり叫ぶ等をして所定の音波を生成し、マイクロフォン１５が所定のレベル以上の音波を検出した場合にも、制御回路２０は割込みと判別するので、表示部１９に時刻表示を行わせることができる。
【０１３１】
また、表示部１９と、受信アンテナ１１１とを近くに設けることができるので、小型で薄型の電波修正時計を提供することができる。
また、受信感度を十分に向上させることができ、ユーザの利便性を高めることができる。
【０１３２】
なお、本発明は本実施の形態に限られるものではなく、任意好適な種々の改変が可能である。
入力手段は、本実施の形態で示した手段に限られるものではない。ユーザが何らかの手段を介してトリガを電波修正時計に入力したときに、表示部が所定の表示を行えばよい。
【０１３３】
また、本実施の形態では、標準時刻信号を受信中は、表示部１９を消灯させていたが、この実施の形態に限られるものではない。
たとえば、標準時刻信号の内の、内部時計の時刻修正処理に係る所定の修正信号が受信されるときは、具体的には、標準電波信号の内の情報として重要でない信号を受信しているときや、「０」信号、「１」信号、および「Ｐ」信号中でも重要でない期間に、表示部１９の表示を行っても、時間修正処理に関しては影響がない。
具体的には制御回路２０が表示用駆動信号を出力して駆動回路１９２から駆動信号をＬＣＤパネル１９１に出力した場合でも、駆動信号を要因とするノイズが標準電波信号受信系１１に入力されても、時間修正処理に関しては影響がない。
このため、制御回路２０は、時刻修正処理に関する情報として、重要でない位置（時刻）に、表示を行わせる表示指示を含む表示制御信号を表示部１９に出力してもよい。
【０１３４】
なお、上述した例では、明暗検出手段としての光センサ１６を、割り込みの入力手段として適用し、明状態、暗状態の状態変化を検出すると、時刻表示等の表示を行う場合を説明したが、明暗検出手段としての光センサ１６の検出結果を、表示部１９の表示項目の消灯制御に適用することも可能である。
この場合、周囲が暗くなって光センサ１６により暗状態を検出した状態で、電波信号を受信する場合には、制御回路２０は、表示部１９に全ての表示項目を消灯するように、表示制御信号を出力する。
これにより、表示部１９およびその配線等からノイズが発生することはなくなり、標準電波信号受信系１１は、良好な受信感度で電波信号を受信することができる。
なお、明暗検出手段とての光センサ１６が暗状態を検出していない場合には、制御回路２０は、上述したと同様な受信動作中の制御動作を行う。
【０１３５】
また、図１７に示すように、図１の構成に加えて、夜間時間帯設定部４０を設けることも可能である。
夜間時間帯設定部４０は、制御回路２０の一機能および記憶回路等からなり、夜間の一定時間帯、たとえばＡＭ０：００〜ＡＭ５：００の時間帯であることを判別するためのものである。
【０１３６】
この場合、受信動作を開始した時刻が、夜間時間帯設定部４０に設定された時間帯内であると、夜間時間帯設定部４０の時刻データに基づいて制御回路２０は、表示部１９に全ての表示項目を消灯するように、表示制御信号を出力する。
この場合も、表示部１９およびその配線等からノイズが発生することはなくなり、標準電波信号受信系１１は、良好な受信感度で電波信号を受信することができる。
なお、受信動作が始まった時刻が夜間時間帯設定部４０に設定された時間帯外のときには、制御回路２０は、上述したと同様な受信動作中の制御動作を行う。
【０１３７】
また、制御回路２０は、受信動作を開始した時刻が夜間時間帯設定部４０に設定された時間帯内であり、しかも光センサ１６が暗状態を検出しているときに、表示部１９に全ての表示項目を消灯するように、表示制御信号を出力するように制御することも可能である、
なお、光センサ１６が暗状態を検出していないか、または受信動作が開始された時刻が夜間時間帯設定部４０に設定された時間帯外のときには、制御回路２０は、上述したと同様な受信動作中の制御動作を行う。
【０１３８】
なお、上記何れの場合にも、電波信号を受信して時刻修正を行う一連の受信動作が完了した段階で、制御回路２０は、表示部１９において時刻を表示する状態に戻るように制御する。
【０１３９】
このような場合も、図１〜図１６に関連付けた実施形態と同様の効果を得ることができる。
【図面の簡単な説明】
【０１４０】
【図１】本発明に係る電波修正時計の信号処理系の一実施形態を示すブロック図である。
【図２】図１に示した電波修正時計で受信される標準電波信号に含まれる時刻信号の一具体例を示す図であって、（ａ）は標準電波信号の一具体例を示す図、（ｂ）は受信状態が良い場合の出力波形の一具体例を示す図、（ｃ）は電波が非常に弱い場合の出力波形の一具体例を示す図、（ｄ）はノイズが多い場合の出力波形の一具体例を示す図である。
【図３】標準電波信号のタイムコードの一部を示す図である。
【図４】図１に示した電波修正時計の一実施の形態の全体構成を示す図である。
【図５】（ａ）は図４（ａ）に示した電波修正時計の左側面図、（ｂ）は右側面図、（ｃ）は背面図である。
【図６】図１に示した電波修正時計の表示部の一具体例のブロック図である。
【図７】図４に示した表示部のＬＣＤパネルの一具体例の一部を示す図である。
【図８】図１に示した電波修正時計の表示部の駆動信号の一具体例を示す図である。
【図９】図１に示した電波修正時計で受信される電波信号と、表示部の表示タイミングの一具体例を示す図である。
【図１０】図１に示した電波修正時計の動作の一具体例を示すフローチャートである。
【図１１】図１に示した電波修正時計の動作の一具体例を示すフローチャートである。
【図１２】受信回数を設定して、受信毎に、受信が成功であるか不成功であるかを判定して、不成功の場合に消灯させる表示項目を徐々に増やす表示制御動作について説明するためのフローチャートである。
【図１３】表示部のＬＣＤパネルにおける他の表示形態例を示す図であって、全ての表示項目を表示している状態を示す図である。
【図１４】表示部のＬＣＤパネルにおける他の表示形態例を示す図であって、一つの表示項目を消灯させた場合を示す図である。
【図１５】表示部のＬＣＤパネルにおける他の表示形態例を示す図であって、二つの表示項目を消灯させた場合を示す図である。
【図１６】表示部のＬＣＤパネルにおける他の表示形態例を示す図であって、全ての表示項目を消灯させた場合を示す図である。
【図１７】本発明に係る電波修正時計の信号処理系の一実施形態を示すブロック図である。
【符号の説明】
【０１４１】
１…電波修正時計、２…標準電波送信局、１０…信号処理系回路、１１…標準電波信号受信系、１２…発振回路、１３…スイッチ群、１４…スピーカ、１５…マイクロフォン、１６…光センサ、１７…光電変換部、１８…検出部、１９…表示部、２０…制御回路、４０…夜間時間帯設定部、１００…本体部、１１１…受信アンテナ、１１２…長波受信回路、１３１…リセットスイッチ、１３２…強制受信スイッチ、１３３…鳴止めスイッチ、１３４…スヌーズスイッチ、１３５…設定スイッチ群、１９１…ＬＤＣパネル、１９２…駆動回路、２０１…内部時計、１９２１…コモン駆動回路、１９２２…セグメント駆動回路、１９２３…ＬＣＤ表示制御回路。
【図１】
2005214882.tif 000003
【図２】
2005214882.tif 000004
【図３】
2005214882.tif 000005
【図４】
2005214882.tif 000006
【図５】
2005214882.tif 000007
【図６】
2005214882.tif 000008
【図７】
2005214882.tif 000009
【図８】
2005214882.tif 000010
【図９】
2005214882.tif 000011
【図１０】
2005214882.tif 000012
【図１１】
2005214882.tif 000013
【図１２】
2005214882.tif 000014
【図１３】
2005214882.tif 000015
【図１４】
2005214882.tif 000016
【図１５】
2005214882.tif 000017
【図１６】
2005214882.tif 000018
【図１７】
2005214882.tif 000019